(57)【要約】      （修正有）【課題】楽譜を色彩表現することにより好適な曲を感覚的に選曲することができる選曲装置を提供する。【解決手段】音色彩変換手段１００と色彩音符作成手段２００により音階の各音を音階の音そのものである主音とその主音の倍音から構成される彩色された矩形の色彩音符２２０として表現し、該色彩音符を選曲されるべき楽曲の楽譜情報３００に基づいて色彩楽譜表５１０に配列した色彩楽譜５００として色彩表現し、これらの色彩楽譜５００を表示選曲手段７００によって表示することにより、好適な曲を感覚的に選曲することが可能となり、この選曲された曲を再生手段８００により再生する選曲装置を提供することができる。【選択図】図１
2010096885.tif 000002
【特許請求の範囲】
【請求項１】
音楽の音階音を隣接音が５度音程となる順に環状に配列するとともに、可視光色を前記音階音の環状配列に対応させて波長の順に環状に配列し前記音階音と前記可視光色の対応変換を行う音色彩変換手段と、前記音階音の各音を該音そのものである主音と該主音の倍音からなる構成とし該主音および該倍音の色彩は前記音色彩変換手段により彩色した色彩音符として色彩表現する色彩音符作成手段と、選曲されるべき楽曲の楽譜情報に基づき前記色彩音符を配列するための色彩楽譜表に該色彩音符を配列し色彩楽譜として構成する色彩楽譜作成手段と、該色彩楽譜を記憶するとともに前記楽譜情報の中の該色彩楽譜に関する楽譜情報を該色彩楽譜の属性として記憶する色彩楽譜記憶手段と、該色彩楽譜記憶手段により記憶された前記色彩楽譜および該色彩楽譜の属性の楽譜情報を表示させて好適な曲を選曲するとともに該選曲された曲の全部もしくは一部分を再生範囲として選択する表示選曲手段と，該表示選曲手段の出力に基づいて該選曲された曲の全部もしくは一部分を楽曲記憶媒体の中から選択して再生する再生手段を備えた選曲装置。
【請求項２】
前記音色彩変換手段は、前記音階音が平均律音階の１２音から成る音階手段を、前記色彩音符作成手段は、前記平均律音階の１２音の各音を該音そのものである主音と該主音の２倍音と該主音の３倍音と該主音の４倍音からなる構成とするとともに縦を前記主音と前記２倍音の音程差と前記２倍音と前記３倍音の音程差と前記３倍音と前記４倍音の音程差と前記４倍音と前記主音の５倍音の音程差とを順次積み上げた主音倍音音程の長さとし、横を一定の基準長さとする矩形状の構成とする構成手段を、更に前記色彩楽譜作成手段は、前記色彩音符を前記楽譜情報の音の高さに応じた縦方向に位置付けるとともに前記楽譜情報の音の順に前記色彩音符を一定横方向に隣接配置して前記色彩楽譜を作成する配列化手段を備えることを特徴とする請求項１の選曲装置。
【請求項３】
前記色彩楽譜作成手段は、前記楽譜情報により同一時間に響鳴する同時複数音の存在を検出する同時音検出手段を有し，該同時音検出手段の出力に基づいて前記同時複数音の数だけ該同時複数音の低い音から高い音の順に前記色彩音符を上書きして前記同時複数音の色彩楽譜を作成する同時音表示手段と，前記楽譜情報により同一音が連続的に繰り返される反復音の存在を検出する反復音検出手段を有し，該反復音検出手段の出力に基づいて前記反復音の前記色彩音符同士が隣接する境界部に当該色彩音符の色彩とは異なる色彩の境界線を表示する反復音明示手段と，更に前記色彩楽譜作成手段は、前記楽譜情報により主旋律となる旋律を検出する主旋律検出手段を有し，該主旋律検出手段の出力に基づいて当該主旋律の色彩音符の色彩とは異なる色彩により該色彩音符の主音の位置を明示する主旋律明示手段と，前記楽譜情報により音の強さを検出する音強度検出手段を有し，該音強度検出手段の出力に基づいて当該色彩音符の前記主音倍音音程の長さを変化させる音強度明示手段を備えることを特徴とした請求項２の選曲装置。
【請求項４】
前記表示選曲手段は、前記再生手段により前記選曲された曲の全部もしくは一部分の再生と同期して該選曲された曲の全部もしくは一部分の色彩楽譜を表示する音色彩同期表示手段を備えることを特徴とした請求項３の選曲装置。
【発明の詳細な説明】
【技術分野】
【０００１】
本発明は色彩表現により感覚的に曲を選択するに好適な選曲装置に関する。
【背景技術】
【０００２】
選曲は，特にクラシック音楽などでは，曲名やケッフェル番号のような管理番号で行うことが多い。しかしこの方法は，曲の聴覚的イメージを曲名や管理番号と結びつけて記憶していなくてはならない。また，まだ聴いていない曲の中から選曲したい場合には，特に楽譜の読めない人にとっては全くイメージが湧かないために分からない。歌謡曲であれば，表示画面で出だしの歌詞を表示したりできるが，クラシックやジャズではそうは行かない。
【０００３】
そこで，個人毎に最適な音楽を選曲するために，キーワードに合致する音楽データを判定し，キーワード再生を行う際に用いる再生リストを生成するデータ判定部を備え，データ判定部は，解析データに基づいて，データ格納部に記憶されている音楽データ，または光ディスクに記憶されている音楽データから当該ユーザーが設定したキーワードに合致する音楽データを検出し，合致した音楽データの再生リストを生成し，当該再生リストに基づいて音楽データの再生を行うような装置が提案されている（特許文献１）。
【特許文献１】特開２００４−３２６８４０号公報
【発明の開示】
【発明が解決しようとする課題】
【０００４】
特許文献１のような選曲方法では，検索キーワードが思い浮かばないこともある。また，聴いたこともない曲を聴いてみたいこともある。このようなときには，闇雲に選曲するのではなく，曲のイメージを持ちながら選曲したい。
【０００５】
曲のイメージの表現方法には例えば楽曲を色彩表現する方法があるが、この場合単なる楽譜の音そのものだけではなく、プロの音楽家には聴き取れる該音を主音とする倍音の響きも表現でき、更には音階音の変化も波長順に並んだ可視光色のような漸次的な自然な変化となるような配列で、該色彩表現に深みと親しみ、そして楽しさを感じながら選曲したい。
【０００６】
また、楽曲には主旋律のみではなく伴奏付の曲やオーケストラの曲もある。これら多彩な音を多彩な色彩で表現するとともに，ピアノ・フォルテといった音の強度も表現し、選曲が単なる選曲として終わるのではなく、色彩表現を鑑賞しながら選曲するという芸術的な域にまで達した状態での選曲もしたい。
【０００７】
更には選曲した楽曲のメインテーマ部とか、わび・さび部とか言われる、ある特定部分を選んで再生したいこともある。また更には選曲した楽曲を再生しながら同時に該再生楽曲が色彩表現された画面を流れるような映像として鑑賞できればすばらしいと思う。
【課題を解決するための手段】
【０００８】
上記の課題を解決するために本発明の選曲装置は、音楽の音階音を隣接音が５度音程となる順に環状に配列するとともに、可視光色を前記音階音の環状配列に対応させて波長の順に環状に配列し前記音階音と前記可視光色の対応変換を行う音色彩変換手段と、前記音階音の各音を該音そのものである主音と該主音の倍音からなる構成とし該主音および該倍音の色彩は前記音色彩変換手段により彩色した色彩音符として色彩表現する色彩音符作成手段と、選曲されるべき楽曲の楽譜情報に基づき前記色彩音符を配列するための色彩楽譜表に該色彩音符を配列し色彩楽譜として構成する色彩楽譜作成手段と、該色彩楽譜を記憶するとともに前記楽譜情報の中の該色彩楽譜に関する楽譜情報を該色彩楽譜の属性として記憶する色彩楽譜記憶手段と、該色彩楽譜記憶手段により記憶された前記色彩楽譜および該色彩楽譜の属性の楽譜情報を表示させて好適な曲を選曲するとともに該選曲された曲の全部もしくは一部分を再生範囲として選択する表示選曲手段と，該表示選曲手段の出力に基づいて該選曲された曲の全部もしくは一部分を楽曲記憶媒体の中から選択して再生する再生手段を備えた構成を有している。
【０００９】
また前記音色彩変換手段は、前記音階音が平均律音階の１２音から成る音階手段を、前記色彩音符作成手段は、前記平均律音階の１２音の各音を該音そのものである主音と該主音の２倍音と該主音の３倍音と該主音の４倍音からなる構成とするとともに縦を前記主音と前記２倍音の音程差と前記２倍音と前記３倍音の音程差と前記３倍音と前記４倍音の音程差と前記４倍音と前記主音の５倍音の音程差とを順次積み上げた主音倍音音程の長さとし、横を一定の基準長さとする矩形状の構成とする構成手段を、更に前記色彩楽譜作成手段は、前記色彩音符を前記楽譜情報の音の高さに応じた縦方向に位置付けるとともに前記楽譜情報の音の順に前記色彩音符を一定横方向に隣接配置して前記色彩楽譜を作成する配列化手段を備えた構成を有している。
【００１０】
また前記色彩楽譜作成手段は、前記楽譜情報により同一時間に響鳴する同時複数音の存在を検出する同時音検出手段を有し，該同時音検出手段の出力に基づいて前記同時複数音の数だけ該同時複数音の低い音から高い音の順に前記色彩音符を上書きして前記同時複数音の色彩楽譜を作成する同時音表示手段と，前記楽譜情報により同一音が連続的に繰り返される反復音の存在を検出する反復音検出手段を有し，該反復音検出手段の出力に基づいて前記反復音の前記色彩音符同士が隣接する境界部に当該色彩音符の色彩とは異なる色彩の境界線を表示する反復音明示手段と，更に前記色彩楽譜作成手段は、前記楽譜情報により主旋律となる旋律を検出する主旋律検出手段を有し，該主旋律検出手段の出力に基づいて当該主旋律の色彩音符の色彩とは異なる色彩により該色彩音符の主音の位置を明示する主旋律明示手段と，前記楽譜情報により音の強さを検出する音強度検出手段を有し，該音強度検出手段の出力に基づいて当該色彩音符の前記主音倍音音程の長さを変化させる音強度明示手段を備えた構成を有している。
【００１１】
また前記表示選曲手段は、前記再生手段により前記選曲された曲の全部もしくは一部分の再生と同期して該選曲された曲の全部もしくは一部分の色彩楽譜を表示する音色彩同期表示手段を備えた構成を有するものである。
【発明の効果】
【００１２】
このように本発明の選曲装置は、楽譜を色彩表現させ視覚的イメージとして選曲を促すので，従来のような検索キーワードを思い浮かべる必要もなく、楽譜が読めない人あるいは曲名や曲の管理番号を聞いても曲のイメージが湧かない人、更には聴いたこともない曲を聴いてみたい場合でも選曲が可能である。
【００１３】
更にプロの音楽家には聴き取れる音階音の該音を主音とする倍音の響きも表現できるとともに、音階音も該音階音同士の相関をとって前記可視光色のような漸次的な自然な変化となるような順番に配列するとともに、前記色彩表現を従来の楽譜の記載方法に準じた配列となるように表示しており、従来の楽譜の感覚を持ちながらの選曲ができる。
【００１４】
また、楽曲には主旋律のみではなく伴奏付の曲やオーケストラの曲もあるが、これら多彩な音の重なりと変化，さらにはピアノ・フォルテといった音の強度も表現できる色彩表現となっており、選曲が単なる選曲として終わるのではなく、色彩表現を鑑賞しながら選曲するという芸術的な域にまで達した状態での選曲ができる。
【００１５】
更に選曲した楽曲のメインテーマ部とか、わび・さび部とか言われる、ある特定部分を選んで再生することもできる。そして更には選曲した楽曲を再生しながら同時に該再生楽曲が色彩表現された画面を流れるような映像として鑑賞することができる。
【発明を実施するための最良の形態】
【００１６】
本発明の選曲装置は、音楽の音階音を隣接音が５度音程となる順に環状に配列するとともに、可視光色を前記音階音の環状配列に対応させて波長の順に環状に配列し前記音階音と前記可視光色の対応変換を行う音色彩変換手段と、前記音階音の各音を該音そのものである主音と該主音の倍音からなる構成とし該主音および該倍音の色彩は前記音色彩変換手段により彩色した色彩音符として色彩表現する色彩音符作成手段と、選曲されるべき楽曲の楽譜情報に基づき前記色彩音符を配列するための色彩楽譜表に該色彩音符を配列し色彩楽譜として構成する色彩楽譜作成手段と、該色彩楽譜を記憶するとともに前記楽譜情報の中の該色彩楽譜に関する楽譜情報を該色彩楽譜の属性として記憶する色彩楽譜記憶手段と、該色彩楽譜記憶手段により記憶された前記色彩楽譜および該色彩楽譜の属性の楽譜情報を表示させて好適な曲を選曲するとともに該選曲された曲の全部もしくは一部分を再生範囲として選択する表示選曲手段と，該表示選曲手段の出力に基づいて該選曲された曲の全部もしくは一部分を楽曲記憶媒体の中から選択して再生する再生手段を備えた構成を有している。以下本発明について説明する。
【実施例】
【００１７】
図１は本発明実施例の選曲装置の構成ブロック図である。図１において、１００は音階音と可視光色を対応させて変換する音色彩変換手段であり、２００は該音色彩変換手段により音階音を彩色した矩形の色彩表現を作成する色彩音符作成手段であり、該出力結果が色彩音符２２０となる。
【００１８】
３００は選曲されるべき楽曲の楽譜データが入力された楽譜情報であり、この情報は色彩楽譜作成手段４００、同時音検出手段４１０、反復音検出手段４３０、主旋律検出手段４５０、音強度検出手段４７０、再生手段８００によってそれぞれ参照される。
【００１９】
４００の色彩楽譜作成手段は同時音検出手段４１０、反復音検出手段４３０、主旋律検出手段４５０、音強度検出手段４７０，配列化手段４９０および色彩楽譜表５１０に楽譜情報３００を出力し色彩楽譜５００を作成する。
【００２０】
６００の色彩楽譜記憶手段は前記色彩楽譜作成手段によって作成された色彩楽譜５００を記憶するとともに前記楽譜情報３００の中の該色彩楽譜に関する楽譜情報を該色彩楽譜の属性として記憶する。
【００２１】
７００の表示選曲手段は前記色彩楽譜記憶手段に記憶された前記色彩楽譜を表示し、表示された複数の色彩楽譜の中から例えばタッチパネル方式により好適な曲を選曲するとともに該選曲された曲の再生範囲を選択して該選曲情報および該再生範囲情報を再生手段８００および音色彩同期表示手段７１０へ出力する。
【００２２】
８００の再生手段は前記表示選曲手段７００から選曲情報および再生範囲情報を入力し、楽曲記憶媒体８１０の中から前記選曲された曲に適合する曲を選択するとともに該曲の再生範囲を抽出して再生する。
【００２３】
７１０の音色彩同期表示手段は、前記表示選曲手段７００から選曲情報および再生範囲情報を入力し、再生手段８００による該曲の再生と同期して前記色彩楽譜を表示する。
【００２４】
これらをより詳細に説明すると、音色彩変換手段１００の音階手段１１０の音階音は例えば平均律音階の１２音であり、可視光色はマンセル表色系に示される色彩である。
【００２５】
可視光色は該波長の変化に伴い漸次色相が変化しており、これらの色を順番に環状に配列した色相環として、マンセル表色系ではマンセル基本１０色相環が示されている。
【００２６】
ここでは、音と色を変換する場合の音の数が平均律音階の１２音であるために、マンセル基本１０色相環を１２分割した１２色相環を前記平均律音階の１２音との変換対象とする。
【００２７】
一方前記平均律音階の１２音については、漸次色相が変化する前記１２色相環と対応させるためには音調が漸次変化するような音の配列となるようにする必要がある。
【００２８】
音の配列について一般的に考えられるのは色と同様に音を周波数の順に配列する方法であり、これは１２音階音を音の高さの順にそのまま配列する方法である。
【００２９】
しかし、一般的な長音階は１２音のうちの７音から成り立っており、該７音内での音の進行では特に違和感は生じないが、該７音以外の音が混入すると違和感を生じる。例えばハ長調の音階は、ｃ（ド），ｄ（レ），ｅ（ミ），ｆ（ファ），ｇ（ソ），ａ（ラ），ｂ（シ）の７音で構成されるが、これらの音に＃（シャープ：半音程上記号）や＄（フラット：半音程下記号（通常フラット記号はｂで表記されるが、ｂ（シ）音と混同する恐れがあるため以下＄で表記する））記号が付くと違和感を生じる（以下音名はｃ，ｄ，ｅ，ｆ，ｇ，ａ，ｂの英音名を使用する）。
【００３０】
このように見たとき、各音が漸次変化するような音の配列は周波数の順以外の順序であると考えられる。
【００３１】
そこで、各長音階とこれらを構成する各音の関係に注目し、これらがどのような関係になっているかを見てみる。図２は各長音階を構成する音の配列であるが、これから逆に各音が帰属する長音階を抽出し、この抽出結果が各音を特徴付ける要素となると考えて各音の帰属する長音階をまとめてみると、図３となる。次に各音の相関係数を求めるために図３の丸印（各音が帰属する長音階）箇所を数字の１とし、他はゼロとしたものが図４である（なお、丸印箇所を数字の９とし、他は３としてもよい。要は丸印箇所と他の箇所の数字の値が異なればよい）。この結果各音はそれぞれ１と０からなる１２桁のコードで表されることになる。
【００３２】
該１２桁のコードをｃの音を基準に相関係数を求めたものが図５であり、更に図４の１２桁のコードの類似したものの順に各音を並び換えたものが図６である。
【００３３】
ここで、図５では相関係数の同じ値の音が複数あるが、該音を環状に配列させること考えて図５と図６とを比較し配列順序をまとめたものが図７である。
【００３４】
一方、マンセル基本１０色相環を１２分割した１２色相環については、例えば５Ｒ、３ＹＲ、１Ｙ、１０Ｙ、８ＧＹ、６Ｇ、５ＢＧ、３Ｂ、１ＰＢ、１０ＰＢ、８Ｐ、６ＲＰの１２色相が得られる。また、マンセル基本１０色相環の１２分割は、分割位置を円周上で等角度回転移動させた６Ｒ、４ＹＲ、２Ｙ、１ＧＹ、９ＧＹ、７Ｇ、６ＢＧ、４Ｂ、２ＰＢ、１Ｐ、９Ｐ、７ＲＰ、あるいは不規則な分割８Ｒ、４ＹＲ、４Ｙ、２ＧＹ、９ＧＹ、５Ｇ、８ＢＧ、４Ｂ、４ＰＢ、２Ｐ、９Ｐ、５ＲＰ等でもよい。なお、ここでＲ，Ｙ，Ｇ，Ｂ，Ｐはそれぞれ赤、黄、緑、青、紫を示す。
【００３５】
同様の考え方でパソコン上で作成した１２色相環は、例えば図８に示すＲ，ＲＲＧ，ＲＧ，ＲＧＧ，Ｇ，ＧＧＢ，ＧＢ，ＧＢＢ，Ｂ，ＢＢＲ，ＢＲ，ＢＲＲの１２色相となる。なお、ここでＲ，Ｇ，Ｂはそれぞれ赤、緑、青を示す。
【００３６】
図７と図８を比較し、音色彩変換表（休止符はＢＬＫ（黒）で表現）としたものが図９であり、図９を環状に配置したものが図１０である。図１０を見ると結果的に隣接音が５度音程となる順に環状に音階音が配列されていることが分かる。
【００３７】
次に２００の色彩音符作成手段の構成手段２１０について説明する。
平均律音階は、１オクターヴを１２区間に分割し、基準周波数をｆ＝２１／２としたとき，その周波数比がｆ０（＝１）、ｆ１、ｆ２、ｆ３、ｆ４、ｆ５、ｆ６、ｆ７、ｆ８、ｆ９、ｆ１０、ｆ１１、ｆ１２（＝２）となるように定められており，その周波数比で，半音程音階がｃ、＃ｃ、ｄ、＄ｅ、ｅ、ｆ、＃ｆ、ｇ、＄ａ、ａ、＄ｂ、ｂ、１オクターヴ高いｃと続いており，ｃ（ｆ０（＝１））と１オクターヴ高いｃ（ｆ１２（＝２））は主音と２倍音の関係にある。
【００３８】
ここで２ｃ（＝１３０．８Ｈｚ、音名の前の数字はオクターヴ高さを示し、数字が大きくなるに従って音程が高くなることを意味する。ここではピアノの中央ｃ音＝２６１．６３Ｈｚを３ｃとしている。以下同様）を主音とした場合の２〜６倍音を図１１に示す。２倍音は３ｃ，３倍音は３ｇ，４倍音は４ｃ，５倍音は４ｅ、６倍音は４ｇとなる。
【００３９】
倍音の響きは音色を豊かにするものであり、１音を主音と倍音との複数の組み合わせで表現することにより、音の色彩変換をより味わい深いものとすることができる。しかし倍音はよほどの聴音に長けたプロの音楽家でなければ聴き取ることは困難であり、特に高次倍音になるとその困難度は増大する。そこでここでは、音を色彩に変換する場合、例えば図１１で示す倍音次数が低くかつ色彩同士が図１０で近接した関係にある２、３、４倍音を主音に加えた、１つの主音と３つの倍音により音階のそれぞれの音を色彩表現することとする。
【００４０】
この場合、図１１より主音〜４倍音の主音倍音音程の長さは、それぞれ主音と２倍音の差（１２半音程、ここで１半音程＝短２度）と、２倍音と３倍音の差（７半音程）と、３倍音と４倍音の差（５半音程）と、４倍音と５倍音の差（４半音程）とを加えた合計２８半音程となる。
【００４１】
これより縦長さを２８半音程とし、横長さを一定の基準長さとし、図９の音色彩変換表に基づいて主音、２倍音、３倍音、４倍音の音を彩色した矩形の色彩表現ができ上がる。
【００４２】
例えば主音が１ｃの場合の色彩表現を図１２に示す。図１２の左側は音名を音の高さ順に下から上へと並べ、これに図９の色彩名を対応させたものであり、色彩名の前の数字は音名の前の数字と同じくオクターヴ高さを示し、数字が大きくなるに従って高オクターヴ音となることを意味し、数字が大きくなるに従って明度を高くした色彩表現としている。これより主音１ｃは対応色が１Ｒで音程は１２半音程、２倍音２ｃは対応色が２Ｒで音程は７半音程、３倍音２ｇは対応色が２ＲＲＧで音程は５半音程、４倍音３ｃは対応色が３Ｒで音程は４半音程の合計２８半音程を縦長さとする矩形の色彩表現ができ上がる。
【００４３】
このようにして該矩形の色彩表現の主音をそれぞれ音階音の全ての音として表現すれば、平均律音階の１２音に対応する矩形の色彩表現が出来上がる。これが色彩音符２２０であり、その一部を図１３に示す。ここで色彩は図９の色彩名の前に数値を付けてオクターヴ表現した色彩名で示しており、色彩名３Ｒが音階音３ｃに対応する。また色彩の漸次的変化の違いを見るために、該色彩音符を色彩の濃淡が分かるように表現し、音の周波数順（音の高さ順）に並べたものが図１４であり、５度音程順に並べたものが図１５である。これより５度音程順に並べた図１５の方が漸次的に色彩の濃淡が変化していることが分かる。
【００４４】
次に前記色彩音符２２０を前記色彩楽譜５００として表現するための基本となる楽譜情報３００について説明する。
【００４５】
前記色彩音符２２０は図１３，１４，１５に示すように音階音の違いを色彩で表現したものであるが、該色彩音符を楽曲の芸術性を表現する色彩楽譜５００とするためには該色彩音符に音の高さデータ、音の持続長さデータ、同時音データ、反復音データ、主旋律音データ、音強度データおよび配列順データ等を加味して色彩楽譜表５１０に配列する必要がある。
【００４６】
楽譜情報３００には、前記データ類が楽譜情報として入力されており、図１６にその内容を示す。まず曲名、調、拍子、速度データがあり、次に複数の旋律データを読み込むための旋律番号がある。例えばここでは最大４旋律まで入力可能であり、旋律の高い順に上からデータが入力されている。入力データは楽曲の最短音符長さを単位とするステップの番号順に入力される。なおステップ単位長は速度データに応じて変化させる。例えば速度データが記号の場合はＭｏｄｅｒａｔｏ（モデラート）を１．００とした各記号の比率をステップ単位長に乗じてステップ単位長とする。速度記号の速度比率例を図１７に示す。
【００４７】
なお前記最短音符長となるステップ単位長については、選曲されるべき楽曲同士で異なることは好ましくないので、統一しておくことが望ましい。
【００４８】
次に旋律有無データは旋律の存在を示すデータで、１は旋律データが入力されていることを示し、０（ゼロ）は旋律データが入力されていないことを示す。主旋律データは当該旋律が主旋律であるか否かを示すデータであり、１が主旋律であることを示す。
【００４９】
音符番号はステップ番号順に楽曲の音符の並んでいる順に入力される。音符長さがステップ単位長さ以上の場合、例えば八分音符がステップ単位長で、四分音符を入力するような場合、同一音符番号が重複して２つのステップに入力される。
【００５０】
次に音名データについては、音名は英音名、伊音名どちらでも入力可能である。音名データは図１８の音名音高変換表により、音高さデータに変換されて図１６の音高データ欄に入力される。休止符は図１６の音名データ欄に０（ゼロ）として入力され、音高さは休止符が曲の冒頭にある場合は次の音の音高さと同じ値で入力され、それ以外は前の音の音高さと同じ値で入力される。
【００５１】
次に音強度データについて、これはｐ（ピアノ）とかｆ（フォルテ）で示される音の強弱度であり、特に音を強くしたい場合は１以上の値を、弱くしたい場合は１以下の値を入力する。入力値がない場合は１と見なす。該強度データを前記色彩音符の縦長さである主音倍音音程の長さに乗じて色彩音符全体の縦の長さを変化させることにより音の強弱を表現する。
【００５２】
次に選曲データおよび再生選択データについて、これについては後で詳しく述べるが、選曲データは当該曲が選曲されているか否かを示すデータであり、例えば当該曲が選曲される場合には１が入力される。再生選択データは該選曲された曲を部分再生する場合の範囲をステップ単位で示す記号であり、例えば再生開始個所にＳが再生終了個所にＥが入力され、範囲指定された部分のみを再生し、データが入力されていない場合は曲全部が最初から最後まで通して再生される。なお、これら選曲データおよび再生選択データは当初は入力されておらず、表示選曲手段７００により入力される。
【００５３】
次に実際の楽譜例図１９により、色彩楽譜を作成する手段について説明する。まず色彩楽譜を作成する基となる楽譜情報３００のデータの具体的内容について説明する。
【００５４】
図１９の楽譜情報は図１６のとおりである。最短音符は八分音符であり、ここでは速度データは数値の１．００となっているため、八分音符長がそのままステップ単位長となっている。また旋律番号１および２の旋律有無データが１となっており、旋律番号１にはト音記号楽譜上の楽譜データが、旋律番号２にはへ音記号楽譜上の楽譜データが入力されている。旋律番号３および４にはデータは入力されていない。
【００５５】
音符番号は、旋律毎にステップ順に入力されている。旋律番号１のデータは八分音符長がステップ単位長であるため、１，２，３，３，４，４のように四分音符の部分は数字が重複して入力されている。同様に旋律番号２のデータは四分休符と四分音符であるので１，１，２，２，３，３，４，４のように数字が重複して入力されている。
【００５６】
ここで音名は英音名で入力されている。前述のように音名の前の数字はオクターヴ表記であり、数字が大きくなるほど音が高くなることを示しており、例えばここでは３ｃはピアノの中央ｃ音＝２６１．６３Ｈｚである。音名を入力すれば図１８を参照して音高データ覧に音の高さを示す数字が入力されている。音強度については特に強調する音は無いため、データは入力されていない。
【００５７】
以上が楽譜情報３００のデータの具体的内容についての説明である。次に色彩楽譜表５１０について説明する。色彩楽譜作成手段４００は楽譜情報３００の調データと拍子データにより、色彩音符を表示する複数の色彩楽譜表５１０の中から該当する色彩楽譜表を選択する。該色彩楽譜表は例えばト音記号の五線譜上に調記号と拍子記号が記載されており、五線のそれぞれの線および間の位置と図１８の音高さが対応するとともに、横方向の単位長は図１６のステップ単位長と同じに設定される。
【００５８】
次に図１６の楽譜情報に従って前記色彩楽譜表５１０上に色彩音符２２０を配列する手段について説明する。
【００５９】
まず色彩楽譜作成手段４００は同時音検出手段４１０、反復音検出手段４３０、主旋律検出手段４５０、音強度検出手段４７０へそれぞれ楽譜情報３００から楽曲毎の楽譜情報の読み込み指示を出力する。
【００６０】
これにより同時音検出手段４１０は、図１６の旋律有無データを旋律番号の最終番号４番の行から読み始めて、該旋律有無データが１となる旋律番号を検索する。この場合旋律番号２および１のデータが１であることから、当該楽譜情報の旋律は旋律番号２および旋律番号１の２つの旋律が存在していることを読み取り，該情報を同時音表示手段４２０へ出力する。そして同時音表示手段４２０は旋律番号２が最低音部旋律であるので、該旋律番号２から色彩楽譜作成を始め、その上に旋律番号１の色彩楽譜を上書きしなければならないことを読み取る。
【００６１】
次に反復音検出手段４３０は、図１６の旋律番号１と旋律番号２のステップ毎に音符番号と音高データを比較して、音符番号と音高データの双方とも変化していないかもしくは双方とも変化している場合は同一音の反復ではなく、音符番号が変化しているにもかかわらず音高データが変化していない場合は、同一音の反復であることを読み取り、該情報を反復音明示手段４４０へ出力する。そして反復音明示手段４４０は音符番号が変化しているにもかかわらず音高データが変化していない場合、該当色彩音符の境界部に、例えば黒の縦線を挿入して反復音明示しなければならないことを読み取る。今回の場合は旋律番号１および２ともステップ８〜９間が反復音明示部となる。
【００６２】
次に主旋律検出手段４５０は、図１６の主旋律データが１となっている旋律番号１の旋律が主旋律音であることを読み取り、該情報を主旋律明示手段４６０へ出力する。そして主旋律明示手段４６０は旋律番号１の該色彩音符の主音部に主旋律明示しなければならないことを読み取る。
【００６３】
次に音強度検出手段４７０は、図１６の各旋律番号の音強度データの音強度倍数値を読み取り、該情報を音強度明示手段４８０へ出力する。そして音強度明示手段４８０は色彩音符２２０を色彩楽譜表５１０に配列する際、該色彩音符の縦長さである主音倍音音程の長さに該音強度倍数値を乗じなければならないことを読み取る。今回音強度データは入力されていないので、色彩楽譜表５１０に配列する際の色彩音符の縦長さは基準となる前記２８半音程と同じである。
【００６４】
以上前準備が整った後、色彩楽譜作成手段４００は図１６の旋律番号２のステップ１から最初のデータとして音名＝０、音高＝２０を読み取り，該情報を配列化手段４９０へ出力する。そして配列化手段４９０は図１３の音名データから音名０の休止符の色彩音符を選択し、前記色彩楽譜表のステップ１、音高２０位置に該休止符の色彩音符の最下位置を定めて配列する。
【００６５】
続いて色彩楽譜作成手段４００は図１６の旋律番号１のステップ１のデータから音名＝４ｂ、音高＝４８を読み取り、該情報を配列化手段４９０へ出力する。そして配列化手段４９０は図１３の音名データから音名４ｂの色彩音符を選択し、前記色彩楽譜表のステップ１、音高４８位置に該色彩音符４ｂの主音位置を定めて配列する。続いて主旋律明示手段４６０は該色彩音符の音高さ４８の主音位置に主旋律の明示を例えば黒枠表示で行う。
【００６６】
次に色彩楽譜作成手段４００は図１６の旋律番号２のステップ２のデータから音名＝０、音高＝２０を読み取り、該情報を配列化手段４９０へ出力する。そして配列化手段４９０は図１３の休止符の色彩音符を選択し、前記色彩楽譜表のステップ２、音高２０位置に該休止符の色彩音符を配列する。
【００６７】
続いて色彩楽譜作成手段４００は図１６の旋律番号１のステップ２のデータから音名＝４ｇ、音高＝４４を読み取り、該情報を配列化手段４９０へ出力する。そして配列化手段４９０は図１３の音名４ｇの色彩音符を選択し、前記色彩楽譜表のステップ２、音高４４位置に該色彩音符４ｇの主音位置を定めて配列する。続いて主旋律明示手段４６０は該色彩音符の音高さ４４の主音位置に主旋律の明示を例えば黒枠表示で行う。
【００６８】
次に色彩楽譜作成手段４００は図１６の旋律番号２のステップ３のデータから音名＝２ｇ、音高＝２０を読み取り、該情報を配列化手段４９０へ出力する。そして配列化手段４９０は図１３の２ｇの色彩音符を選択し、前記色彩楽譜表のステップ３、音高２０位置に該色彩音符２ｇの主音位置を定めて配列する。
【００６９】
続いて色彩楽譜作成手段４００は図１６の旋律番号１のステップ３のデータから音名＝３ｂ、音高＝３６を読み取り、該情報を配列化手段４９０へ出力する。そして配列化手段４９０は図１３の３ｂの色彩音符を選択し、前記色彩楽譜表のステップ３、音高３６位置に該色彩音符３ｂの主音位置を定めて配列する。続いて主旋律明示手段４６０は該色彩音符の音高さ３６の主音位置に主旋律の明示を例えば黒枠表示で行う。
【００７０】
ここで前記色彩音符２ｇの上に前記色彩音符３ｂを上書きした場合、前記色彩楽譜２ｇの音高さ３６以高の部分は消されて表示されないことになるが、主音より倍音の響きは比較にならない程小さいため、低音と高音の２つの音を同時に響かせた場合、低音の倍音は高音に消されて聴き取りは極めて困難になると考えられることから、低音の色彩音符の上に高音の色彩音符を上書きする方法は妥当であると考えてよい。
【００７１】
ここで主音が１ｃの色彩音符の上に主音が１ｅの色彩音符を上書きして出来る色彩表現の例を図２０に示す。図中程の色彩表現のうちの左側が１ｃの色彩音符で右側が１ｅの色彩音符である。そして１ｃの上に１ｅを重ねて出来たものが中央の１ｃ＋１ｅの色彩表現であり、１ｃの色彩音符は主音部の４半音程のみが表示され、その上に１ｅの色彩音符が上書き表示されている。
【００７２】
このようにして図１６のステップ番号の順に色彩音符は色彩楽譜表に配列されて色彩楽譜が作成される。以上が本発明の選曲装置の元データとなる色彩楽譜作成までの手段であり、このようにして作成された楽譜例図１９の色彩楽譜は図２１となる。ここで色彩は図１３の色彩名で表しており、上部の縦長の黒枠部が主旋律部の色彩楽譜であり、下部の縦長の黒枠部が伴奏部の色彩楽譜である。中間部の横長黒枠部は主旋律の主音部である。なお、図２１では実際の色彩楽譜のイメージが湧かないため、図２２に色彩の違いをモノクロの濃淡で表現し同時音、反復音、主旋律音を明示している。
【００７３】
次にこれらの手段により作成された選択されるべき楽曲の色彩楽譜５００による選曲の手段および再生の手段について説明する。
【００７４】
色彩楽譜記憶手段６００は、色彩楽譜作成手段４００の出力として得られる複数の前記色彩楽譜とともに該色彩楽譜の楽譜情報を属性として記憶している。
【００７５】
表示選曲手段７００は前記色彩楽譜記憶手段６００の中の複数の色彩楽譜および該色彩楽譜の属性の楽譜情報を表示し、表示された該色彩楽譜の中から例えば図１６のメヌエットＫ１が選曲された場合、該曲の属性の楽譜情報の選曲データに１を書き込み、また該曲の再生範囲が例えば図１６のステップ３〜１２と選択された場合、同様に該曲の属性の楽譜情報の再生選択データのステップ３に再生開始の記号としてＳを、ステップ１２に再生終了の記号としてＥを書き込んで該楽譜情報を再生手段８００および音色彩同期表示手段７１０へ出力するとともに、前記選曲された該曲の色彩楽譜を音色彩同期表示手段７１０へ出力する。
【００７６】
再生手段８００は選曲されるべき楽曲の録音されている楽曲記憶媒体８１０の曲名毎の再生位置および曲名毎の図１６のステップ番号に対応した再生位置を指定できるテーブルを有しており、前記表示選曲手段７００からの前記入力情報により、選曲された楽曲の再生位置を指定して楽曲記憶媒体８１０に出力し、楽曲記憶媒体８１０は選曲された楽曲の指定範囲を再生する。
【００７７】
同時に再生手段８００は楽曲記憶媒体８１０が選曲された楽曲を再生中は、図１６のステップに対応した同期パルスを表示選曲手段７００へ返す。
【００７８】
音色彩同期表示手段７１０は再生手段８００から出力された前記同期パルスを表示選択手段７００を介して入力し、既に入力している前記選曲された該曲の色彩楽譜および再生範囲の書き込まれた該曲の属性である楽譜情報により、該色彩楽譜を表示する指定範囲を楽曲記憶媒体８１０の選曲された楽曲の指定範囲の再生と同期して表示する。
【産業上の利用可能性】
【００７９】
本発明により，色彩の変化と推移によって想起される視覚イメージによる音楽の鑑賞や教育が可能となるとともに，従来のように検索キーワード等の言葉によらない感覚的な視覚イメージでの選曲が可能となるため、楽譜が読めない人あるいは曲名や曲の管理番号を聞いても曲のイメージが湧かない人にとって格好の選曲ツールとなること、また聴覚の不自由な人に楽曲を視覚的イメージとして鑑賞していただくことができること、更には楽音と一体となった色彩楽譜の表示による聴覚と視覚の融合された芸術への展開がはかれることなど，多くの人に音楽に対する興味をより大きく広げて行くことが出来るものと考えられる。
なお本発明は、マイクロコンピューター手段によりシステムを構成しても良い。
【図面の簡単な説明】
【００８０】
【図１】本発明実施例の選曲装置の構成ブロック図
【図２】各長音階を構成する音
【図３】各音の帰属する長音階
【図４】各音を特徴付ける１２桁のコード
【図５】ｃ（ド）を基準とした各音の１２桁のコードの相関係数
【図６】各音を図４の１２桁のコードの類似したものの順に並び替えた表
【図７】ｃ（ド）を基準とした図６の各音の１２桁のコードの相関係数
【図８】パソコン上で作成した１２色相環の色相データ例
【図９】音色彩変換表
【図１０】１２音色彩環状相関図
【図１１】２ｃ（ド）（１３０．８Ｈｚ）を主音とした場合の２〜６倍音
【図１２】１ｃ（ド）の色彩表現
【図１３】色彩音符（部分）
【図１４】図１３の色彩音符を周波数順に並べて色の濃淡で表現した図
【図１５】図１３の色彩音符を５度音程順に並べて色の濃淡で表現した図
【図１６】楽譜情報例
【図１７】速度記号の速度比率例
【図１８】音名音高変換表
【図１９】楽譜例
【図２０】１ｃの色彩音符の上に１ｅの色彩音符を上書きする場合の色彩表現
【図２１】図１９の色彩楽譜
【図２２】図２１を色の濃淡で表現した図
【符号の説明】
【００８１】
１００    音色彩変換手段
１１０    音階手段
２００    色彩音符作成手段
２１０    構成手段
２２０    色彩音符
３００    楽譜情報
４００    色彩楽譜作成手段
４１０    同時音検出手段
４２０    同時音表示手段
４３０    反復音検出手段
４４０    反復音明示手段
４５０    主旋律検出手段
４６０    主旋律明示手段
４７０    音強度検出手段
４８０    音強度明示手段
４９０    配列化手段
５００    色彩楽譜
５１０    色彩楽譜表
６００    色彩楽譜記憶手段
７００    表示選曲手段
７１０    音色彩同期表示手段
８００    再生手段
８１０    楽曲記憶媒体
【図１】
2010096885.tif 000003
【図２】
2010096885.tif 000004
【図３】
2010096885.tif 000005
【図４】
2010096885.tif 000006
【図５】
2010096885.tif 000007
【図６】
2010096885.tif 000008
【図７】
2010096885.tif 000009
【図８】
2010096885.tif 000010
【図９】
2010096885.tif 000011
【図１０】
2010096885.tif 000012
【図１１】
2010096885.tif 000013
【図１２】
2010096885.tif 000014
【図１３】
2010096885.tif 000015
【図１６】
2010096885.tif 000016
【図１７】
2010096885.tif 000017
【図１８】
2010096885.tif 000018
【図１９】
2010096885.tif 000019
【図２０】
2010096885.tif 000020
【図２１】
2010096885.tif 000021
【図１４】
2010096885.tif 000022
【図１５】
2010096885.tif 000023
【図２２】
2010096885.tif 000024